(57)【要約】【課題】  比較的簡単な接合部形状であって、材料を選ばずに十分な強度を保つことができ、組み立て及び解体が容易な組み立て椅子を提供する。【解決手段】組み立て椅子は、前側から所定位置までを略水平な直線状に切り欠いて形成した挿入溝を有し、互いに平行に立設される一対の側面板と、上面及び下面の両側端部にそれぞれ形成された嵌合溝を有し、前記挿入溝に前記嵌合溝を挿入して、前記側面板の間に架設される座面板と、前記側面板の後部に上方に突出して形成されている背凭れ支持部の前側に形成された蟻ほぞに挿入される蟻溝が形成された背面板と、を備える。【選択図】図１
0003176800.tif 000002
【実用新案登録請求の範囲】
【請求項１】
前側から所定位置までを略水平な直線状に切り欠いて形成した挿入溝を有し、互いに略平行に立設される一対の側面板と、
上面及び下面の両側端部にそれぞれ形成された嵌合溝を有し、前記挿入溝に前記嵌合溝を挿入して、前記側面板の間に架設される座面板と、
前記側面板の後部に上方に突出して形成されている背凭れ支持部の前側端面に形成された蟻ほぞに外挿される蟻溝が形成された背面板と、
を備えることを特徴とする組み立て椅子。
【請求項２】
前記背凭れ支持部及び前記背面板には、前記蟻ほぞ及び前記蟻溝を互いにかみ合わせたときに、背凭れ固定用込み栓を挿入可能な背凭れ固定孔が形成されることを特徴とする請求項１に記載の組み立て椅子。
【請求項３】
前記側面板及び前記座面板には、前記挿入溝に前記嵌合溝を挿入したときに、座面固定用込み栓を挿入可能な座面固定孔が形成されることを特徴とする請求項１又は請求項２に記載の組み立て椅子。
【考案の詳細な説明】
【技術分野】
【０００１】
本考案は、複数の板材を組み合わせて構成される組み立て椅子に関し、特に、組み立て及び分解可能な組み立て椅子に関する。
【背景技術】
【０００２】
従来より、不要時の収納性や運搬性を高めるために、不要時に解体して容積を小さくすることができ、組み立て及び解体を容易にした組み立て椅子が種々提案されている。このような組み立て椅子の一例としては、角材で形成された支持板の長手端にホゾを設け、このホゾの先端部に楔挿入穴を設けておき、支持板を垂直に受けて接続したい別の複数枚の側板や脚板などの木板にはこのホゾ部を通すホゾ穴を設けておき嵌め合わせた後、前記ホゾの先端部の楔挿入穴に楔形木片を圧入することで各木板を強固に接続した組み立て椅子が挙げられる（特許文献１）。
【０００３】
また、背もたれ部と座席部とを組立て分解可能にした組み立て椅子であって、背もたれ部と座席部とが、座席部の脚部を背もたれ部の上固定用横桟と下固定用横桟との間から挿入し、座席部材に設けた上固定用桟と下固定用桟との間に、背もたれ部材に設けた下固定桟を係合させると同時に、座席部材の脚部材の上面を、背もたれ部材に設けた上固定部材の下面に当接させて結合するように構成された組み立て椅子が挙げられる（特許文献２）。
【先行技術文献】
【特許文献】
【０００４】
【特許文献１】特開２００６−２０９２２号公報
【特許文献２】特開２００１−３７５７３号公報
【考案の概要】
【考案が解決しようとする課題】
【０００５】
しかし、従来の組み立て椅子にあっては、接合部の強度を十分なものにするためには、接合部の形状を複雑なものにすることになり、組み立て作業が困難になるとともに、加工コストが高くなる問題がある。一方、単純な形状の接合部では、接合部の強度を十分なものにすることができず、たとえば多人数が座る長いすなどには採用することができない。
【０００６】
そこで、本考案は、比較的簡単な接合部形状であって、材料を選ばずに十分な強度を保つことができ、組み立て及び解体が容易な組み立て椅子を提供することを目的とする。
【課題を解決するための手段】
【０００７】
請求項１に記載の組み立て椅子は、前側から所定位置までを略水平な直線状に切り欠いて形成した挿入溝を有し、互いに平行に立設される一対の側面板と、上面及び下面の両側端部にそれぞれ形成された嵌合溝を有し、前記挿入溝に前記嵌合溝を挿入して、前記側面板の間に架設される座面板と、前記側面板の後部に上方に突出して形成されている背凭れ支持部の前側に形成された蟻ほぞに挿入される蟻溝が形成された背面板と、を備えることを特徴としている。
【０００８】
請求項２に記載の組み立て椅子は、前記背凭れ支持部及び前記背面板には、前記蟻ほぞ及び前記蟻溝を互いにかみ合わせたときに、背凭れ固定用込み栓を挿入可能な背凭れ固定孔が形成されることを特徴としている。
【０００９】
請求項３に記載の組み立て椅子は、前記側面板及び前記座面板には、前記挿入溝に前記嵌合溝を挿入したときに、座面固定用コミ栓を挿入可能な座面固定孔が形成されることを特徴としている。
【考案の効果】
【００１０】
請求項１の組み立て椅子によると、立設する一対の側面板に水平方向に切り欠いて設けられた挿入溝に嵌合溝を挿入して、側面板の間に座面板を架設するので、座面板に加わる鉛直方向の荷重を側面板で確実に支持することができる。また、側面板の後部に上方に突出して形成されている背凭れ支持部の前側に形成された蟻ほぞに背面板に形成された蟻溝を外挿して、背面板を固定しているので、着座者が背面板にもたれかかったとしても、側面板が背面板側に押し付けられる方向に荷重が加わるだけであるので、背面板を側面板に確実に固定することができる。以上のように、比較的簡単な接合部形状であっても、十分な強度を保つことができ、組み立て及び解体を容易にすることができる。
【００１１】
請求項２の組み立て椅子によると、蟻ほぞ及び蟻溝を互いにかみ合わせたときに背凭れ固定孔が形成され、この背凭れ固定孔に背凭れ固定用込み栓を挿入することで、背面板を上方に引き抜く荷重が加わった場合に、背面板が側面板から外れることを防止できる。
【００１２】
請求項３の組み立て椅子によると、座面固定孔に座面固定用込み栓を挿入することで、側面板から座面板を前方に引き抜く方向に荷重が加わった場合に、座面板が側面板から外れることを防ぐことができる。
【図面の簡単な説明】
【００１３】
【図１】組み立て椅子の正面図及び側面図。
【図２】組み立て椅子の斜視図。
【図３】組み立て椅子を解体した状態の各構成を示す図。
【図４】背面板と背凭れ支持部との接合部を説明する背面板の後側から見た一部省略拡大斜視図。
【図５】挿入溝に嵌合溝を嵌合させた状態を説明する一部省略拡大断面図。
【考案を実施するための形態】
【００１４】
以下、各図を参照しつつ本考案の組み立て椅子１の最良の実施形態について説明する。組み立て椅子１は、図１及び図２に示すように、互いに略平行に立設される一対の側面板２と、一対の側面板２に架設され座面を形成する座面板３と、一対の側面板２に架設され背凭れを形成する背面板４とを備えている。
【００１５】
側面板２は、図３に示すように、互いに間隔を開けて略平行に立設される一対の木板である。側面板２は例えば厚さ５０ｍｍの杉の一枚板である。側面板２は、前後方向の長さが４５０ｍｍ、高さが５４５ｍｍの略矩形の本体部２１と、本体部２１の上面の後部から上方に２００ｍｍ突出する背凭れ支持部２２がとを有している。背凭れ支持部２２は、後側端面が鉛直に形成され、下端の前後方向の長さが１００ｍｍで、上端が６０ｍｍとなるように前側端面が傾斜して形成されている。また本体部２１の下側の前後の端部がそれぞれ突出して脚部２３を形成している。なお、本実施形態において、組み立て椅子１に着座した者から見て前方を「前」、後方を「後」としている。
【００１６】
背凭れ支持部２２の前側端面は上端から両側の縁部が切り欠かれて蟻ほぞ２４が形成されている。蟻ほぞ２４は、前方に向かうにしたがって広がる断面台形に形成されている。蟻ほぞ２４の長さは背面板４の上下方向の幅よりも短く形成されている。蟻ほぞ２４の長さ方向の中間位置には水平方向に切り欠かれた背凭れ固定孔半体５ａが設けられている。背凭れ固定孔半体５ａは溝状に形成されている。なお、背面板４にも背凭れ固定孔半体５ｂが形成されており、背面板４の蟻溝４１を背凭れ支持部２２の蟻ほぞ２４に外挿して背面板４を背凭れ支持部２２に固定したときに、これら背凭れ固定孔半体５ａ，５ｂ同士が組み合わされて、背凭れ固定用込み栓６を挿入可能な背凭れ固定孔５が形成される。
【００１７】
また、側面板２には前側端面から所定位置までを略水平な直線状に切り欠いて形成した前方に開放された挿入溝２５が形成されている。挿入溝２５は、前側端面から３３０ｍｍまで切り欠かれており、上下方向の幅が３０ｍｍである。側面板２には、挿入溝２５の長さ方向の中間位置の下面側に、挿入溝２５の長さ方向に直交する水平な溝状の座面固定孔半体７ａが形成されている。なお、座面板３にも座面固定孔半体７ｂが形成されており、座面板３を挿入して側面板２に座面板３を固定したときに、これら座面固定孔半体７ａ，７ｂ同士が組み合わされて、座面固定用込み栓８を挿入可能な座面固定孔７が形成される。
【００１８】
挿入溝２５の前方側の端部は本体部２１の上面から２００ｍｍ下方であって、下面から３００ｍｍ上方の位置に形成されている。挿入溝２５が本体部２１の上面から少なくとも２００ｍｍ以上下方に形成されることにより、側面板２が木材であっても割裂を起こすことを抑制することができ、組み立て椅子１を組み立てたときに、座面よりも２００ｍｍ以上高い位置である本体部２１の上面を、肘掛として利用することができる。なお、側面板２の寸法形状は、上述のものに限定されるものではなく、椅子としての機能を発揮できる範囲内で適切な寸法形状を用いることができる。また本発明における「所定位置」は、挿入溝２５に挿入される座面板３の後端部が配置される位置であるので、着座者の着座に支障がない位置であれば如何なる位置であってもよい。
【００１９】
なお本発明における「略水平」とは、水平に対する傾きが例えば１０度以内である。挿入溝２５は「略水平」の範囲内で後方に向かって下り勾配に傾斜していることが好ましい。このように構成すると、座面板３を挿入するときに座面板３の挿入方向に挿入溝２５が傾斜することになるので、挿入しやすく、また、抜けにくい。
【００２０】
座面板３は、図３及び図５に示すように、厚さ４５ｍｍで前後方向の長さが４００ｍｍ、横方向の長さが２０００ｍｍの長方形の杉の一枚板である。座面板３の両側の側端からそれぞれ内側に５０ｍｍの位置には後側端部から前方に向けて３３０ｍｍの長さで、深さ７．５ｍｍ、幅５０ｍｍの嵌合溝３１が形成されている。嵌合溝３１は、座面板３の上面及び下面にそれぞれ設けられている。座面板３の下面には、当該下面に形成された嵌合溝３１の長さ方向の中間位置に、嵌合溝３１の長さ方向に直交する水平な溝状の座面固定孔半体７ｂが形成されている。座面板３を挿入して側面板２に座面板３を固定したときに、側面板２の座面固定孔半体７ａと座面板３の座面固定孔半体７ｂ同士が組み合わされて、座面固定用込み栓８を挿入可能な座面固定孔７が形成される。なお、座面板３の寸法形状は、上述のものに限定されるものではなく、椅子としての機能を発揮できる範囲内で適切な寸法形状を用いることができる。
【００２１】
背面板４は、厚さ４５ｍｍで、上下方向の長さが１５０ｍｍ、横方向の長さが２０００ｍｍの長方形の杉の一枚板である。背面板４の後面には、図４に示すように、座面板３の両側の側端からそれぞれ内側に５０ｍｍの位置に、上下方向に背凭れ支持部２２の蟻ほぞ２４を外挿する蟻溝４１が設けられている。背面板４の蟻溝４１の長さ方向に中間位置には背面板４をの後面を側端部から水平方向に切り欠いた背凭れ固定孔半体５ｂが設けられている。背凭れ固定孔半体５ｂは溝状に形成されている。背面板４の蟻溝４１を背凭れ支持部２２の蟻ほぞ２４に外挿して背面板４を背凭れ支持部２２に固定したときに、背面板４及び背凭れ支持部２２の背凭れ固定孔半体５ａ，５ｂ同士が組み合わされて、背凭れ固定用込み栓６を挿入可能な背凭れ固定孔５が形成される。なお、背面板４の寸法形状は、上述のものに限定されるものではなく、椅子としての機能を発揮できる範囲内で適切な寸法形状を用いることができる。
【００２２】
なお、側面板２、座面板３、及び背面板４の材料は杉に限定されるものではなく、他の木材、樹脂材、金属材などの他の材料であってもよく、また、２種以上の異なる材料を組み合わせて側面板２、座面板３、及び背面板４を形成するものであってもよい。
【００２３】
組み立て椅子１を組み立てるときには、図３に示すように、一対の側面板２を互いに１８００ｍｍ距離を開けて平行に立設する。そして、一対の側面板２の挿入溝２５に座面板３の嵌合溝３１を挿入して、側面板２の間に座面板３を架設する。そして、座面固定孔７に座面固定用込み栓８を挿入して、側面板２の挿入溝２５から座面板３が抜けないようにする。
【００２４】
次に、背凭れ支持部２２の前側端面に形成された蟻ほぞ２４に背面板４の後面に形成されている蟻溝４１を外挿する。背凭れ支持部２２の蟻ほぞ２４は背面板４の上下方向の長さよりも短いので、背面板４が背凭れ支持部２２の上端よりも僅かに上方に飛び出した状態になる。そして、背凭れ固定用込み栓６を背凭れ固定孔５に挿入して、組み立て椅子１を完成させる。
【００２５】
以上のように本実施形態の組み立て椅子１は、座面板３に加わる鉛直方向の荷重を互いに平行に立設された１対の側面板２で支持するので確実に支持することができ、また、側面板２の後部に上方に突出して形成されている背凭れ支持部２２の前側に形成された蟻ほぞ２４に背面板４に形成された蟻溝４１を外挿して、背面板４を固定しているので、着座者が背面板４にもたれかかったとしても、側面板２が背面板４側に押し付けられる方向に荷重が加わるだけであるので、背面板４を側面板２に確実に固定することができる。
【００２６】
そして、背凭れ固定孔５に背凭れ固定用込み栓６を挿入することで、背面板４を上方に引き抜く荷重が加わった場合に、背面板４が側面板２から外れることを防止でき、座面固定孔７に座面固定用込み栓８を挿入することで、側面板２から座面板３を前方に引き抜く方向に荷重が加わった場合に、座面板３が側面板２から外れることを防ぐことができる。
【００２７】
なお、本考案の実施の形態は上述の形態に限ることなく、本考案の思想の範囲を逸脱しない範囲で適宜変更することができることは云うまでもない。
【産業上の利用可能性】
【００２８】
本考案に係る組み立て椅子１は、例えば長椅子などの組み立て椅子１として好適に用いることができる。
【符号の説明】
【００２９】
１      組み立て椅子
２      側面板
３      座面板
４      背面板
５      背凭れ固定孔
６      背凭れ固定用込み栓
７      座面固定孔
８      座面固定用込み栓
２２    背凭れ支持部
２４    蟻ほぞ
３１    嵌合溝
４１    蟻溝
【図１】
0003176800.tif 000003
【図２】
0003176800.tif 000004
【図３】
0003176800.tif 000005
【図４】
0003176800.tif 000006
【図５】
0003176800.tif 000007